(57)【要約】      （修正有）【課題】便器を外部から目視できない形態で取り付けることができるトイレの故障を知らせる案内表示体を提供する。【解決手段】縦枠１１と横枠１２，１４からなる略矩形形状の枠体の３面を横方向に連結し、これら枠体の隣接する縦枠１１同士は３６０度回動自在とする。連結された枠体の２本の上方横枠の下部分の少なくとも２個所に吸盤１７を設ける。枠体のそれぞれには案内表示シート２２を張設し、案内表示シートには故障中の表示が成されている。３面からなる枠体を略９０度の角度をもって折り曲げて立体的形態とし、吸盤を小便器Ｓの両側面に吸着させて取り付ける。【選択図】図１
0003219035.tif 000002
【実用新案登録請求の範囲】
【請求項１】
縦枠と横枠からなる略矩形形状の枠体の２面又は３面を横方向に連結し、これら枠体の隣接する縦枠同士は回動自在とし、
前記連結された枠体の上方横枠部分の少なくとも２個所に取付部を設け、
前記枠体のそれぞれにはシート状のものからなる案内表示シートを張設し、この案内表示シートには故障中の表示が成され、
上記２面又は３面からなる枠体を適宜角度をもって折り曲げて立体的形態とし、前記取付部を小便器の両側面に又は大便器を備える個室のドアー枠部上端に取り付けることができるトイレ故障案内表示体。
【請求項２】
前記枠体が３面からなり、この３面からなる枠体をそれぞれ略直角に配置して小便器を取り囲むように配置でき、前記取付部として吸盤を両側に位置する枠体の上方横枠部分に設けたことを特徴とする請求項１に記載のトイレ故障案内表示体。
【請求項３】
前記枠体が２面からなり、この２面からなる枠体を適宜鈍角に配置し、その枠体の上方横枠の両端部分にフック状の取付部を設け、
これらの取付部を大便器を備える個室のドアー枠部上端に引っ掛けて取り付けることが出来ることを特徴とする請求項１に記載のトイレ故障案内表示体。
【請求項４】
前記２面からなる枠体の開き角度を規定するための角度規定部材を前記２面の枠体の上方横枠間に架け渡したことを特徴とする請求項３に記載のトイレ故障案内表示体。
【請求項５】
前記角度規定部材が、チェーン、紐状部材、又は、棒状部材からなることを特徴とする請求項４に記載のトイレ故障案内表示体。
【請求項６】
各枠体の上方横枠の下に更に横枠を配設し、前記案内表示シートの上端部を前記上方横枠の下の横枠に張設したことを特徴とする請求項１乃至５の何れか１項に記載のトイレ故障案内表示体。
【考案の詳細な説明】
【技術分野】
【０００１】
本考案は、公衆トイレや各種施設・建物内の利用者用トイレにおいて、小便器や大便器が故障した際に、この故障を利用者に知らせるために使用する案内表示体に関するものである。
【背景技術】
【０００２】
従来においては、水洗式トイレの小便器が故障した際、例えば水洗用水が出ないとか、排水管が詰まってしまったりした際には、使用を中止させるため、「故障中」という表示がなされた表示板を小便器の上に取り付けたりして利用者に案内表示を行っていた。
【０００３】
他方、水洗式大便器であれば、排水管が詰まったりして使用不能となった際にも、やはり「故障中」と表示された案内表示板をトイレ個室のドアーの表側やドアー枠部上端に取り付けたりして利用者に使用不可の案内表示を行っていた。
【考案の概要】
【考案が解決しようとする課題】
【０００４】
従来の案内表示板による告知にあっては、小便器の場合には、故障中の小便器が外部から容易に見ることができ、排水管が詰まって溢れそうな状態を利用者が目視でき、不快感を与えてしまう。
大便器を備える個室のドアー等に表示されている場合でも、ドアーが不使用の際には開放されているタイプもあるため、その大便器の故障状況を利用者が目視でき、不快感を与えてしまうことは上記小便器の場合と同様である。
【０００５】
そこで、本考案においては、小便器の故障、或いは、大便器を備える個室であっても当該大便器の故障を知らせるための案内表示体として、当該便器を外部から目視出来ない形態の案内表示体を提案することがその課題である。
また、当該案内表示体の不使用時、或いは、保管時にはその大きさを小さくできること、例えば、折り畳んで保管に便利な形態にし得ることも本考案の課題となる。
【課題を解決するための手段】
【０００６】
上記課題を解決するために、本考案の第１のものは、縦枠と横枠からなる略矩形形状の枠体の２面又は３面を横方向に連結し、これら枠体の隣接する縦枠同士は回動自在とし、前記連結された枠体の上方横枠部分の少なくとも２個所に取付部を設け、前記枠体のそれぞれにはシート状のものからなる案内表示シートを張設し、この案内表示シートには故障中の表示が成され、上記２面又は３面からなる枠体を適宜角度をもって折り曲げて立体的形態とし、前記取付部を小便器の両側面に又は大便器を備える個室のドアー枠部上端に取り付けることができるトイレ故障案内表示体である。
【０００７】
本考案の第２のものは、上記第１の考案において、前記枠体が３面からなり、この３面からなる枠体をそれぞれ略直角に配置して小便器を取り囲むように配置でき、前記取付部として吸盤を両側に位置する枠体の上方横枠部分に設けたことを特徴とするトイレ故障案内表示体である。
【０００８】
本考案の第３のものは、上記第１の考案において、前記枠体が２面からなり、この２面からなる枠体を適宜鈍角に配置し、その枠体の上方横枠の両端部分にフック状の取付部を設け、これらの取付部を大便器を備える個室のドアーの上端枠部に引っ掛けて取り付けることが出来ることを特徴とするトイレ故障案内表示体である。
【０００９】
本考案の第４のものは、上記第３の考案において、前記２面からなる枠体の開き角度を規定するための角度規定部材を前記２面の枠体の上方横枠間に架け渡したことを特徴とするトイレ故障案内表示体である。
【００１０】
本考案の第５のものは、上記第４の考案において、前記角度規定部材が、チェーン、紐状部材、又は、棒状部材からなることを特徴とするトイレ故障案内表示体である。
【００１１】
本考案の第６のものは、上記それぞれの考案において、各枠体の上方横枠の下に更に横枠を配設し、前記案内表示シートの上端部を前記上方横枠の下の横枠に張設したことを特徴とするトイレ故障案内表示体である。
【考案の効果】
【００１２】
本考案の第１のものにおいては、２面又は３面の縦枠と横枠からなる略矩形形状の枠体とシート状の案内表示シートから形成されており、極めて重量の軽いものとなり、取り扱に便利なものとなる。
また、それぞれの枠体は隣接する縦枠同士が回動自在に連結されているために、各枠体を折り重ねるように折り畳んで保管することができ、収納スペースも少ないものとすることができる。
【００１３】
前記連結された枠体の上方横枠部分の少なくとも２ヶ所に取付部を設けているために、小便器の両側、又は、大便器を備える個室のドアー枠部上端に取り付けることができる。
以上のように、小便器又は大便器が故障した際には、上記２面又は３面からなる枠体を広げて小便器では、これを取り囲むように、大便器を備える個室の場合にはそのドアー枠部上端に取り付けて使用することが可能となり、利用者に故障の案内表示をすることができることとなる。
【００１４】
本考案の第２のものにおいては、小便器の故障用のものとして限定したものであり、即ち、前記枠体が３面からなり、この３面からなる枠体をそれぞれ略直角に配置して小便器を取り囲むように配置でき、前記取付部としての吸盤を両側に位置する枠体の上方横枠部分に設けたものである。
これにより、上記吸盤を小便器の両側側面に吸着させて上記案内表示体を小便器を取り囲むように設置でき、故障表示を行うと共に小便器の目隠しをも行うことができる。
【００１５】
本考案の第３のものにおいては、大便器を備える個室用のものに限定したものであり、即ち、前記枠体が２面からなり、この２面からなる枠体を適宜鈍角に配置し、その枠体の上方横枠の両端部分にフック状の取付部を設け、これらの取付部を大便器を備える個室のドアーの枠部上端に容易に引っ掛けて取り付けることが出来ることとなる。
【００１６】
本考案の第４のものにおいては、上記第３の考案において、前記２面からなる枠体の角度を規定するための角度規定部材を前記２面の枠体の上方横枠間に架け渡したものであり、これによって、両枠体の開き角度を所定の角度とすることができ、開き過ぎて平面状となってしまうことを防止できる。
【００１７】
本考案の第５のものにおいては、前記角度規定部材を限定したものであり、当該角度規定部材がチェーン、紐状部材、又は、棒状部材からなることを特定したものである。
これにより、本考案に係る案内表示体は所定角度を維持して取り付けられることとなるのである。
【００１８】
本考案の第６のものにおいては、各枠体の上方に２本の横枠を配設し、前記案内表示部の上端部を前記上方横枠の下方の横枠に張設したために、枠体の上方の上下の横枠の間に空間が設けられ、上の横枠を人の手で把持することができることとなり、持ち運びに便利なものとなる。
【図面の簡単な説明】
【００１９】
【図１】本考案に係るトイレ故障案内表示体の第１実施形態の使用状態を示す説明図である。
【図２】上記第１実施形態の正面図であって、その骨組である枠体のみを開放した状態で示している。
【図３】本考案の第２実施形態に係る案内表示体の使用状態を示す説明図である。
【図４】上記第２実施形態の骨組みである枠体のみを開放した状態で示し、その（Ａ）が正面図、その（Ｂ）が右側面図である。
【考案を実施するための形態】
【００２０】
以下、添付の図面と共に本考案の一実施形態について説明する。
図１は、本考案に係るトイレ故障案内表示体の第１実施形態の使用状態を示す説明図である。
図２は、上記第１実施形態の正面図であって、その骨組である枠体のみを開放した状態で示している。
【００２１】
本考案に係るトイレ故障案内表示体１０（以下単に「案内表示体１０」とも言う。）は、左右２本の縦枠１１、１１と上方横枠１２と下方横枠１４により構成された縦長の略矩形形状の枠体を１面とし、この略矩形形状の枠体の３面を横方向に連結し、隣接する縦枠１１同士は略３６０度回動自在に組付けられている。
【００２２】
それぞれの枠体には、上方横枠１２の少し下に上方下横枠１３及び下方横枠１４の少し上に下方上横枠１５を設けており、これらの上方下横枠１３と下方上横枠１５及び両側の縦枠１１、１１に案内表示用の合成樹脂製シートからなる案内表示シート２２を張設している。
勿論、上記上方下横枠１３及び下方上横枠１５を設けずに実施することもできる。
【００２３】
この案内表示シート２２には、トイレが故障中であることを示す「故障中」という表示を大きくプリントし、その他トイレ利用者の注意を喚起する図絵や他の告知文等をプリントしておく。
上記上方下横枠１３及び下方上横枠１５を設けたのは、これらの枠に上記案内表示シート２２を張設できるため、上方横枠１２及び下方横枠１４を手で把持することができるようにしたためである。
【００２４】
これにより、この案内表示体１０の設置者は、上記上方横枠１２又は下方横枠１４を把持して、当該案内表示体１０を折り畳み、開放し、又は、持ち運んだりすることができることとなる。
【００２５】
ここで、上記案内表示体１０の取り扱い方法について説明すると、この案内表示体１０は上記した通り、３面の枠体のその隣接した縦枠１１同士を回動自在としているために、この３面の枠体をその中央部に位置する枠体の部分に重ね合わせるように折り畳むことができる。
【００２６】
即ち、図２において、左側の枠体Ａを中央の枠体Ｂの紙面手前側に矢印Ｄに示すように１８０度回動させて枠体Ｂの手前側に重ね合わせ、右側の枠体Ｃを中央の枠体Ｂの紙面裏側に矢印Ｅに示すように１８０度回動させて枠体Ｂの紙面裏側に重ね合わせて、折り畳むことができる。
この折り畳み方向は全く自由であって、左右の枠体Ａ、Ｃを同じ紙面手前側又は紙面裏側に折り重ねることもできる。
【００２７】
尚、この第１実施形態に係る案内表示体１０では、中央の枠体Ｂの横幅が左右の枠体Ａ、Ｃの横幅よりも大きく形成しており、左右の枠体Ａ、Ｃの横幅は同じとしている。これは小便器Ｓのサイズに適合させたためである。
【００２８】
以上のようにして本考案に係る案内表示体１０は折り畳まれるが、使用時又は設置時には、これとは逆に折り畳まれた左右の枠体Ａ、Ｃを適宜方向に回動させて、各面が略９０度となるように組み立てて、図１の状態になるようにする。
【００２９】
更に、枠体Ａと枠体Ｃのそれぞれの上方下横枠１３には、取付部としての吸盤１７が設けられている。
これら２つの吸盤１７、１７によって、上記案内表示体１０が小便器Ｓの両側面に吸着され取り付けられることとなるのである。
【００３０】
図３は、本考案の第２実施形態に係る案内表示体の使用状態を示す説明図である。
図４は、上記第２実施形態の骨組みである枠体のみを開放した状態で示し、その（Ａ）が正面図、その（Ｂ）が右側面図である。
【００３１】
この第２実施形態に係る案内表示体２０は、左右２本の縦枠１１、１１と上方横枠１２と下方横枠１４により構成された縦長の略矩形形状の枠体を１面とし、この略矩形形状の枠体の２面を横方向に連結し、隣接する縦枠１１同士を３６０度回動自在に組付けたものである。
【００３２】
それぞれの枠体には、上方横枠１２の少し下に上方下横枠１３を設けており、これらの上方下横枠１３と下方横枠１４及び両側の縦枠１１、１１に案内表示用の合成樹脂製シートからなる案内表示シート２２を張設している。
【００３３】
この案内表示シート２２には、上記第１実施形態と同様に、トイレが故障中であることを示す「故障中」という表示をプリントし、その他使用者の注意を喚起する図絵や他の告知文等をプリントしておく。
上記横枠１２の下に上方下横枠１３を設けたのは、この下方の横枠に上記案内表示シート２２を張設できるため、上記上方横枠１２を手で把持することができるようになるからである。
【００３４】
これにより、この案内表示体２０の設置者は、上記上方横枠１２を把持して、当該案内表示体２０を折り畳み、開放し、又は、持ち運んだりすることができることとなる。
【００３５】
上記案内表示体２０の取り扱い方法について説明すると、この案内表示体２０は、２面の枠体のその隣接した縦枠１１同士を３６０度回動自在としているために、この２面の枠体をその中央部に位置する縦枠１１、１１の部分で折り重ねるように畳むことができる。
【００３６】
即ち、図４において、左側の枠体Ｆを右側の枠体Ｇの紙面手前側に或いは紙面裏側に１８０度回動させて枠体Ｇの手前側又は裏側に重ね合わせて折り畳むことができる。
或いは、右側の枠体Ｇの側を左側の枠体Ｆの側に重ね合わせるように折り畳むことができる。
【００３７】
以上のようにして本考案に係る案内表示体２０は折り畳まれるが、使用時又は設置時には、これとは逆に折り畳まれた左右の枠体Ｆ、Ｇを適切な角度をもって適宜開き、図３の状態になるようにする。
【００３８】
ここで、この第２実施形態においては、枠体Ｆの左側の縦枠１１と枠体Ｇ右側の縦枠１１がそれぞれ上方に長く形成され、その上端部にフック１９を設けている（図４（Ｂ）参照）。
これらのフック１９、１９によって、上記案内表示体２０が大便器を備える個室のドアー枠部の上端縁部或いはドアー上縁部に引っ掛けることができる。
【００３９】
更に、この第２実施形態においては、枠体Ｆ、Ｇのそれぞれの上方横枠１２の中央寄りの部位に輪状部１８、１８を設けており、これらの輪状部１８、１８に角度を規定するためのチェーン３０（図３参照）を掛け渡すことができるようにしている。
これら輪状部１８、１８とチェーン３０の存在によって、上記案内表示体２０の２面の枠体Ｆ、Ｇの開き角度が所定の角度に決定されることとなるのである。
【００４０】
以上、本考案の実施形態について説明したが、本考案においては、以下の通り種々その形態を変更することができる。
まず、上記実施形態における縦枠及び横枠は、ステンレス製の丸棒を使用したが、その材質やサイズ等に関しては自由に設計変更することができる。
また、案内表示シートの材質も自由であり、キャンバス生地を使用することもできる。
勿論、案内表示のデザインも自由である。
【００４１】
各枠体の大きさも自由に設定することができ、隣接する縦枠が３６０度回動自在に連結されていればよい。
このように回動自在とするための連結部材（ジョイント部材）としては、各種のものが有り、各種の蝶番を利用したり、２つの貫通孔を有する単なる金具でもよいし、合成樹脂製の掴持部材（クリップ部材）であってもよく、自由に選択して利用することができる。
【００４２】
案内表示部を小便器や大便器を備える個室のドアー部等に取り付けるための取付部としては、上記実施形態において吸盤及びフックを例示したが、この取付部も全く自由に設計変更することができる。
吸盤に関しては、上記第１実施形態の上方下横枠の両端部分に設けたが、その上の上方横枠に設けてもよいことは勿論である。
【００４３】
上記第１実施形態では、上方下横枠と下方上横枠を設けたが、これらと上方横枠又は下方横枠との上下の間隔も自由に設定することができる。要は、手を入り込ませることのできる間隔があればよい。
【００４４】
上記第２実施形態においては、下方上横枠を設けずに実施したが、この第２実施形態においても第１実施形態と同様に下方上横枠を設けて実施することもできる。
勿論、これら上方下横枠及び下方上横枠を設けずに実施することも可能である。
【００４５】
上記第２実施形態における開き角度を規定する角度規定部材としてチェーンを利用したが、このチェーンの代わりに針金等の金属製線状部材でもよいし、その他の材質の紐状部材、又は、両端部に引っ掛け部を有する所定長さの金属製又は合成樹脂製の棒状部材であってもよい。
【００４６】
以上、本考案にあっては、軽量で折り畳むことができ、故障した小便器や大便器を備える個室のドアー部で、当該故障状況の目隠しを行いつつ、故障の案内表示を利用者に行うことができる便利なトイレ故障案内表示体を提供することができたものである。
【符号の説明】
【００４７】
１０、２０  トイレ故障案内表示体
１１  縦枠
１２  上方横枠
１３  上方下横枠
１４  下方横枠
１５  下方上横枠
１７  吸盤
１８  輪状部
１９  フック部
２２  案内表示シート
３０  チェーン
Ａ、Ｂ、Ｃ、Ｆ、Ｇ  枠体
【図１】
0003219035.tif 000003
【図２】
0003219035.tif 000004
【図３】
0003219035.tif 000005
【図４】
0003219035.tif 000006